(57)【要約】【課題】顔写真撮影装置における撮影対象者の入れ替わりを防止する。【解決手段】カメラ１２による顔写真撮影やＢＭデータ取得装置１４によるＢＭデータ（生体認証情報）の取得の時間的に前後に、カメラ１２により撮影対象者の顔画像を含む撮影室内監視写真が撮影されて監視画像データが生成される。入室検知センサ１３により撮影対象者が撮影室に入室したことを検知して、監視画像データが不定期に生成されることとしてもよい。顔画像データ、ＢＭデータ、監視画像データは、関連付けられて記憶部１７に記憶される。そして、これらのデータが暗号化され、関連付けられた状態でネットワークＮを介して管理装置３０へ送信される。【選択図】図１
2005196388.tif 000002
【特許請求の範囲】
【請求項１】
撮影室内における撮影対象者の顔写真撮影時に、撮影対象者の生体認証情報を取得するようにした顔写真撮影装置であって、
少なくとも撮影対象者の顔写真と撮影対象者の顔画像を含む撮影室内監視写真とを撮影して顔画像情報及び撮影室内監視画像情報を生成する撮影手段と、
前記撮影対象者の顔写真撮影時又は生体認証情報の取得時の時間的に前又は後に、前記撮影手段に対して前記撮影室内監視写真の撮影を指示する撮影制御手段と、
前記顔画像情報、前記生体認証情報及び前記撮影室内監視画像情報を関連付けて記憶する記憶手段と、
を備えたことを特徴とする顔写真撮影装置。
【請求項２】
撮影室内における撮影対象者の顔写真を撮影する顔写真撮影装置であって、
少なくとも撮影対象者の顔写真と撮影対象者の顔画像を含む撮影室内監視写真とを撮影して顔画像情報及び撮影室内監視画像情報を生成する撮影手段と、
前記顔画像情報から第１の顔認証用特徴点データを抽出する特徴点抽出手段と、
前記撮影対象者の顔写真撮影時の時間的に前又は後に、前記撮影手段に対して前記撮影室内監視写真の撮影を指示する撮影制御手段と、
前記顔画像情報、前記第１の顔認証用特徴点データ及び前記撮影室内監視画像情報を関連付けて記憶する記憶手段と、
を備えたことを特徴とする顔写真撮影装置。
【請求項３】
請求項２に記載の顔写真撮影装置において、
前記特徴点抽出手段は、さらに、前記撮影室内監視画像情報から第２の顔認証用特徴点データを抽出し、
前記記憶手段は、前記第２の顔認証用特徴点データを前記顔画像情報及び前記第１の顔認証用特徴点データと関連付けて記憶することを特徴とする顔写真撮影装置。
【請求項４】
請求項１〜３のいずれか一項に記載の顔写真撮影装置において、
前記撮影室に人物が入室したことを検知するセンサを備え、
前記撮影制御手段は、前記センサからの検知信号に基づいて、前記撮影手段を起動させ、さらに、前記撮影手段に対して不定期に前記撮影室内監視写真の撮影を指示することを特徴とする顔写真撮影装置。
【請求項５】
請求項１〜４のいずれか一項に記載の顔写真撮影装置において、
前記撮影手段は、ズーム機能、又は、少なくとも撮影対象者の顔及び撮影対象者の顔画像を含む撮影室内に対して焦点を切り替える焦点切り替え機能を有することを特徴とする顔写真撮影装置。
【請求項６】
請求項１〜５のいずれか一項に記載の顔写真撮影装置と、
前記顔写真撮影装置を管理する管理装置と、
が通信ネットワークを介して接続された顔写真処理システムであって、
前記顔写真撮影装置は、前記記憶手段に記憶されているデータを前記管理装置へ送信する通信手段を備え、
前記管理装置は、前記送信されたデータを記憶する記憶手段を備えたことを特徴とする顔写真処理システム。
【発明の詳細な説明】
【技術分野】
【０００１】
本発明は、撮影対象者の顔写真を撮影する顔写真撮影装置及び顔写真処理システムに関する。
【背景技術】
【０００２】
近年、各種団体の会員証や社員証、各種免許証等の身分証として、ＩＣメモリ内蔵のＩＤカードが普及してきている。このＩＤカードには、顔写真や個人情報（ＩＤ番号、住所、氏名、年齢、及び所属等）がカードの表面に直接印刷されるとともに、カードに内蔵されているＩＣメモリにデジタルデータ化した個人情報が記録されている。
【０００３】
また、免許証やパスポート、顔写真が印刷されたクレジットカード等の発行を申請する際には、申請書に写真を貼付する場合が多い。このような証明写真を撮影するために、ボックス型の顔写真撮影装置が街頭や駅構内等、利用者が利用しやすい場所に設置されている。例えば、複数回撮影を行って得られた複数の画像を同一記録媒体上にプリントする証明写真撮影装置や、装置に表示される撮影操作案内手順を選択可能な撮影装置が提案されている（例えば、特許文献１、２参照。）。
【０００４】
各種ＩＤカードに用いられる顔写真においては、顔写真と本人とが一致するか否かが問題となる。本人認証を行うための技術として、指紋や虹彩等を用いた生体認証技術（Biometrics）が普及してきており、ＩＤカードにおける本人照合にも利用されている。このような背景から、顔写真撮影装置において、生体認証情報を取得することが考えられる。
【特許文献１】特開２０００−２９１０号公報
【特許文献２】特開２００３−２０７８４０号公報
【発明の開示】
【発明が解決しようとする課題】
【０００５】
しかし、従来の顔写真撮影装置は無人であるため、顔写真を撮影する際や生体認証情報を取得する際に、撮影対象者の入れ替わり等の不正行為が行われるおそれがあった。
【０００６】
本発明は、撮影対象者の入れ替わりを防止することができる顔写真撮影装置及び顔写真処理システムを提供することを課題とする。
【課題を解決するための手段】
【０００７】
請求項１に記載の発明は、撮影室内における撮影対象者の顔写真撮影時に、撮影対象者の生体認証情報を取得するようにした顔写真撮影装置であって、少なくとも撮影対象者の顔写真と撮影対象者の顔画像を含む撮影室内監視写真とを撮影して顔画像情報及び撮影室内監視画像情報を生成する撮影手段と、前記撮影対象者の顔写真撮影時又は生体認証情報の取得時の時間的に前又は後に、前記撮影手段に対して前記撮影室内監視写真の撮影を指示する撮影制御手段と、前記顔画像情報、前記生体認証情報及び前記撮影室内監視画像情報を関連付けて記憶する記憶手段と、を備えたことを特徴としている。
【０００８】
請求項２に記載の発明は、撮影室内における撮影対象者の顔写真を撮影する顔写真撮影装置であって、少なくとも撮影対象者の顔写真と撮影対象者の顔画像を含む撮影室内監視写真とを撮影して顔画像情報及び撮影室内監視画像情報を生成する撮影手段と、前記顔画像情報から第１の顔認証用特徴点データを抽出する特徴点抽出手段と、前記撮影対象者の顔写真撮影時の時間的に前又は後に、前記撮影手段に対して前記撮影室内監視写真の撮影を指示する撮影制御手段と、前記顔画像情報、前記第１の顔認証用特徴点データ及び前記撮影室内監視画像情報を関連付けて記憶する記憶手段と、を備えたことを特徴としている。
【０００９】
請求項３に記載の発明は、請求項２に記載の顔写真撮影装置において、前記特徴点抽出手段は、さらに、前記撮影室内監視画像情報から第２の顔認証用特徴点データを抽出し、前記記憶手段は、前記第２の顔認証用特徴点データを前記顔画像情報及び前記第１の顔認証用特徴点データと関連付けて記憶することを特徴としている。
【００１０】
請求項４に記載の発明は、請求項１〜３のいずれか一項に記載の顔写真撮影装置において、前記撮影室に人物が入室したことを検知するセンサを備え、前記撮影制御手段は、前記センサからの検知信号に基づいて、前記撮影手段を起動させ、さらに、前記撮影手段に対して不定期に前記撮影室内監視写真の撮影を指示することを特徴としている。
【００１１】
請求項５に記載の発明は、請求項１〜４のいずれか一項に記載の顔写真撮影装置において、前記撮影手段は、ズーム機能、又は、少なくとも撮影対象者の顔及び撮影対象者の顔画像を含む撮影室内に対して焦点を切り替える焦点切り替え機能を有することを特徴としている。
【００１２】
請求項６に記載の発明は、請求項１〜５のいずれか一項に記載の顔写真撮影装置と、前記顔写真撮影装置を管理する管理装置と、が通信ネットワークを介して接続された顔写真処理システムであって、前記顔写真撮影装置は、前記記憶手段に記憶されているデータを前記管理装置へ送信する通信手段を備え、前記管理装置は、前記送信されたデータを記憶する記憶手段を備えたことを特徴としている。
【発明の効果】
【００１３】
請求項１に記載の発明によれば、撮影対象者の顔写真撮影時又は生体認証情報の取得時の時間的に前又は後に、撮影室内監視写真の撮影を行い、顔画像情報、生体認証情報及び撮影室内監視画像情報を関連付けて記憶するので、撮影対象者が不正に入れ替わって顔写真撮影又は生体認証情報の取得を行ったとしても、撮影室内監視画像情報を照合することにより、本人の同一性を確認することができる。したがって、撮影対象者の入れ替わりを防止することができる。
【００１４】
請求項２に記載の発明によれば、撮影対象者の顔写真撮影時の時間的に前又は後に、撮影室内監視写真の撮影を行い、顔画像情報、第１の顔認証用特徴点データ及び撮影室内監視画像情報を関連付けて記憶するので、撮影対象者が不正に入れ替わって顔写真を撮影したとしても、撮影室内監視画像情報を照合することにより、本人の同一性を確認することができる。したがって、撮影対象者の入れ替わりを防止することができる。
【００１５】
請求項３に記載の発明によれば、撮影室内監視画像情報から第２の顔認証用特徴点データを抽出し、第２の顔認証用特徴点データを顔画像情報及び第１の顔認証用特徴点データと関連付けて記憶するので、第２の顔認証用特徴点データと第１の顔認証用特徴点データとに基づいて顔認証を行うことができる。したがって、撮影対象者の入れ替わりを防止することができる。
【００１６】
請求項４に記載の発明によれば、センサにより撮影室に人物が入室したことを検知した場合に、撮影手段を起動させることができる。さらに、不定期に撮影室内監視写真を撮影することにより、より確実に撮影対象者の入れ替わりを防止することができる。
【００１７】
請求項５に記載の発明によれば、撮影手段は、ズーム機能、又は、少なくとも撮影対象者の顔及び撮影対象者の顔画像を含む撮影室内に対して焦点を切り替える焦点切り替え機能を有するので、撮影対象者の顔及び撮影対象者の顔画像を含む撮影室内に対して焦点を合わせて撮影を行うことができる。
【００１８】
請求項６に記載の発明によれば、顔写真撮影装置の記憶手段に記憶されているデータを、通信ネットワークを介して管理装置へ送信し、管理装置の記憶手段にデータを記憶することができる。したがって、管理装置において、撮影室内監視画像情報を分析することにより、顔写真撮影装置の利用中に撮影対象者が入れ替わっていないかを確認することができるので、撮影対象者の入れ替わりを防止することができる。
【発明を実施するための最良の形態】
【００１９】
［第１の実施の形態］
まず、図１及び図２を参照して本発明の第１の実施の形態における顔写真処理システム１について詳細に説明する。ただし、発明の範囲は図示例に限定されない。
【００２０】
図１に、第１の実施の形態における顔写真処理システム１のシステム構成を示す。
図１に示すように、顔写真処理システム１は、顔写真撮影装置１０と、管理装置３０とがネットワークＮを介して接続されて構成されている。図１では、顔写真撮影装置１０を１つ図示しているが、実際には、複数の顔写真撮影装置１０がネットワークＮを介して管理装置３０に接続されているものとする。
【００２１】
顔写真撮影装置１０は、利用者が入室可能な筐体からなる撮影室を備え、街頭や駅構内等、利用者が利用しやすい各地に設置されている。
顔写真撮影装置１０は、制御部１１、カメラ１２、入室検知センサ１３、ＢＭデータ取得装置１４、入力装置１５、表示装置１６、記憶部１７、プリンタ１８、ストロボ１９、スピーカー２０、キャッシャー２１、通信装置２２、Ｉ／Ｏユニット２３等を備える。
【００２２】
制御部１１は、図示しないＣＰＵ（Central Processing Unit）やＲＯＭ（Read Only Memory）、ＲＡＭ（Random Access Memory）等から構成され、顔写真撮影装置１０の各部を統括的に制御する。ＣＰＵは、入力装置１５から入力される各種指示に従って、ＲＯＭに記憶されている各種プログラムの中から指定されたプログラムをＲＡＭのワークエリアに展開し、上記プログラムとの協働によって各種処理を実行し、その処理結果をＲＡＭの所定の領域に格納する。
【００２３】
カメラ１２は、光学レンズ、ＣＣＤ（Charge Coupled Device）等の光学センサ、Ａ／Ｄ変換器等から構成され、光学レンズを介して入力される被写体像を光学センサにより光電変換して画像信号を生成し、Ａ／Ｄ変換器によりアナログ画像信号からデジタル画像データを得て、制御部１１に出力する。カメラ１２は、連続的に焦点距離を変化させるズーム機能、又は、２つ以上の焦点距離に対して焦点を合わせる焦点切り替え機能を有し、少なくとも撮影対象者の顔写真と撮影対象者の顔画像を含む撮影室内監視写真とを撮影して顔画像情報（以下、「顔画像データ」という。）及び撮影室内監視画像情報（以下、「監視画像データ」という。）を生成する。監視画像データは、撮影対象者の顔や人物全体、撮影対象者の顔画像を含む撮影室内の一部又は撮影室全体等を対象として、それぞれ撮影された複数の画像データであってもよい。カメラ１２に替えて動画を記録可能なデジタルビデオカメラを適用することとしてもよい。
【００２４】
入室検知センサ１３は、顔写真撮影装置１０の撮影室内に人物が入室したことを検知して、その検知信号を制御部１１に出力する。この検知信号に基づいて、カメラ１２が起動することとする。
【００２５】
ＢＭデータ取得装置１４は、例えば、撮影対象者の指紋、虹彩、手の甲の静脈パターン、掌紋、顔の特徴、声紋、あるいは、遺伝子情報等の生体認証情報（Biometrics Data；以下、「ＢＭデータ」という。）を取得する装置である。なお、本実施の形態においては、ＢＭデータ取得装置１４は指紋センサを備え、撮影対象者の指紋をＢＭデータとして取得するものとする。指紋センサは、リニア型ＣＣＤイメージセンサ、リニア型ＣＭＯＳイメージセンサ等の光電変換素子で構成され、センサの受光面に結像された指紋の一次元像を指紋画像データに変換する。ＢＭデータは、この指紋画像データであってもよいし、所定のアルゴリズムに従って抽出された特徴点データであってもよい。特徴点データとは、例えば指紋の場合には、各指紋画像の相違点が比較的明確な、指紋の頂点の位置や数等を示すデータをいう。特徴点データを用いることにより、指紋画像データそのものを用いる場合と比較して、本人認証を容易かつ迅速に行うことができる。
【００２６】
入力装置１５は、数字キー、写真種選択ＳＷ（Switch）、撮影ＳＷ、プリントＳＷ、各種機能キーを備えて構成され、各キー及びＳＷ操作による押下信号を制御部１１に出力する。なお、入力装置１５は、表示装置１６と一体に構成されるタッチパネルや、その他の入力装置を備えることとしてもよい。
【００２７】
表示装置１６は、ＣＲＴ（Cathode Ray Tube）やＬＣＤ（Liquid Crystal Display）等からなる表示画面を備え、制御部１１の制御に応じて、表示情報を表示する。
【００２８】
記憶部１７は、カメラ１２により撮影された顔画像データ及び監視画像データ、ＢＭデータ取得装置１４により取得されたＢＭデータを関連付けて記憶する。
【００２９】
プリンタ１８は、印刷装置等を備え、記憶部１７に記憶されている顔画像データに基づいて顔写真を印刷用紙に印刷する。
【００３０】
ストロボ１９は、撮影ＳＷが押下される際に、瞬間的に光を発し、撮影に充分な光量になるよう調節する。
【００３１】
スピーカー２０は、電気信号を音波に変換して出力する音声出力装置である。スピーカー２０は、顔写真撮影装置１０における音声案内を出力する。
【００３２】
キャッシャー２１は、硬貨や紙幣の入金口、釣り銭返金口等を備えた料金精算機であり、入金口から入金された金額の情報を制御部１１に出力し、制御部１１から指示された金額の硬貨又は紙幣を釣り銭返金口に排出する。
【００３３】
通信装置２２は、モデム又はターミナルアダプタ等によって構成され、ネットワークＮを介して管理装置３０とデータ通信を行う。
【００３４】
Ｉ／Ｏユニット２３は、制御部１１と、ストロボ１９、スピーカー２０、キャッシャー２１とを接続し、各種信号の入出力を行う。
【００３５】
管理装置３０は、データベース（Database；以下、「ＤＢ」という。）３１を備えて構成され、ネットワークＮを介して顔写真撮影装置１０を管理する。管理装置３０は、顔写真撮影装置１０から送信される顔画像データ、ＢＭデータ、監視画像データ等を関連付けてＤＢ３１に格納させる。
【００３６】
ＤＢ３１は、顔写真撮影装置１０から送信された各データ（顔画像データ、ＢＭデータ、監視画像データ等）を関連付けて記憶する。
【００３７】
ネットワークＮは、ＬＡＮ（Local Area Network）、ＷＡＮ（Wide Area Network）、インターネットを含めてもよく、電話回線網、ＩＳＤＮ（Integrated Services Digital Network）回線網、ＡＤＳＬ（Asymmetric Digital Subscriber Line）回線網、移動体通信網、通信衛星回線、ＣＡＴＶ回線、光通信回線、無線通信回線等を含む構成でもよい。例えば、ＰＨＳ（Personal Handyphone System）により、顔写真撮影装置１０と管理装置３０とのデータの送受信を行う。
【００３８】
次に、顔写真処理システム１の顔写真撮影装置１０における動作について説明する。
図２は、顔写真撮影装置１０において実行される登録申請処理１を説明するフローチャートである。登録申請処理１は、例えば、ＩＤカードの発行を申請する際に行われる処理である。
【００３９】
まず、顔写真撮影装置１０の撮影室内に撮影対象者が入ると、入室検知センサ１３により撮影対象者が検知され（ステップＳ１）、表示装置１６に案内画面が表示される（ステップＳ２）。同時に、スピーカー２０により音声案内が出力される。以下の動作においても同様に、各処理毎に、スピーカー２０から音声案内が出力されることとしてもよい。
【００４０】
撮影対象者がキャッシャー２１の入金口に料金を投入すると（ステップＳ３）、入金された金額が判断される（ステップＳ４）。次に、撮影対象者が撮影を希望する写真種を選択するための写真種選択ＳＷを押下すると（ステップＳ５）、キャッシャー２１により、選択された写真種に応じて料金の精算が行われ、釣り銭が排出される（ステップＳ６）。
【００４１】
次に、撮影対象者が撮影ＳＷを押下すると（ステップＳ７）、撮影対象者の顔画像を含む撮影室内監視写真の撮影（以下、「監視用撮影」という。）が行われ、監視画像データが生成される（ステップＳ８）。なお、監視用撮影として、撮影対象者の顔や人物全体、撮影対象者の顔画像を含む撮影室内の一部又は撮影室全体等、複数の写真が撮影されることとしてもよい。また、監視画像データには、撮影された時刻又は撮影された順序に関する情報が付帯されることが望ましい。続いて、ストロボ１９が照射され、カメラ１２により顔写真の撮影が行われ、顔画像データが生成される（ステップＳ９）。そして、再び監視用撮影が行われ、監視画像データが生成される（ステップＳ１０）。ここで、顔画像データのチェックが行われる（ステップＳ１１）。例えば、顔が横を向いていないか、顔の大きさ及び位置（画像の外枠から顔までの距離等）は規格内であるか、等が判断される。顔画像データが顔写真処理システム１において利用可能なデータではないと判断された場合には（ステップＳ１１；ＮＧ）、表示装置１６に再撮影の要求を示す画面が表示され、再び顔写真の撮影が行われる。
【００４２】
顔画像データが顔写真処理システム１において利用可能なデータであると判断された場合には（ステップＳ１１；ＯＫ）、撮影対象者がプリントＳＷを押下することにより（ステップＳ１２）、顔画像データと監視画像データが関連付けられて記憶部１７に保存される（ステップＳ１３）。そして、プリンタ１８により、顔写真が印刷用紙に印刷される（ステップＳ１４）。撮影対象者はプリント出力された写真を受け取る（ステップＳ１５）。
【００４３】
また、顔画像データが顔写真処理システム１において利用可能なデータであると判断された場合には（ステップＳ１１；ＯＫ）、監視用撮影が行われ、監視画像データが生成される（ステップＳ１６）。続いて、ＢＭデータ取得装置１４により、ＢＭデータが取得される（ステップＳ１７）。そして、再び監視用撮影が行われ、監視画像データが生成される（ステップＳ１８）。ここで、取得されたＢＭデータのチェックが行われる（ステップＳ１９）。取得されたＢＭデータが顔写真処理システム１において利用可能なデータではないと判断された場合には（ステップＳ１９；ＮＧ）、表示装置１６にＢＭデータの再取得の要求を示す画面が表示され、再びＢＭデータの取得が行われる。
【００４４】
ＢＭデータが顔写真処理システム１において利用可能なデータであると判断された場合には（ステップＳ１９；ＯＫ）、ＢＭデータと監視画像データが、ステップＳ１３において保存された顔画像データと監視画像データとともに、関連付けられて記憶部１７に保存される（ステップＳ２０）。
【００４５】
また、ステップＳ１において、入室検知センサ１３により、撮影対象者が顔写真撮影装置１０の撮影室内に入ったことが検知されてから、不定期に監視用撮影が行われ（ステップＳ２１）、生成された監視画像データが顔画像データ及びＢＭデータと関連付けられて記憶部１７に保存される（ステップＳ２２）。不定期とは、一定の時間間隔ではないことをいい、ランダムに設定されることとしてもよい。ただし、撮影対象者に監視用撮影のタイミングを意識させないことが好ましい。図２においては、ステップＳ２１、ステップＳ２２を１回ずつ示してあるが、実際には、不定期に複数回行われるものとする。
【００４６】
そして、顔画像データ、ＢＭデータ、監視画像データが暗号化され（ステップＳ２３）、これらのデータが関連付けられた状態でネットワークＮを介して管理装置３０へ送信される（ステップＳ２４）。管理装置３０に送信されたデータは、ＤＢ３１に記憶される。
以上で、登録申請処理１が終了する。
【００４７】
したがって、顔写真処理システム１によれば、撮影対象者の顔写真撮影時とＢＭデータの取得時の時間的に前後に、監視用撮影を行い、顔画像データ、ＢＭデータ及び監視画像データを関連付けて記憶するので、仮に、撮影対象者が不正に入れ替わった状態で顔写真撮影又はＢＭデータの取得を行ったとしても、監視画像データを照合することにより、本人の同一性を確認することができる。したがって、撮影対象者の入れ替わりを防止することができる。
【００４８】
また、入室検知センサ１３により人物が撮影室に入室したことを検知した場合に、不定期に監視用撮影を行うので、より確実に撮影対象者の入れ替わりを防止することができる。
【００４９】
また、顔写真撮影装置１０において、ＩＤカードの発行の申請が行われる場合には、ＤＢ３１に記憶されているデータに基づいて、ＩＤカードの発行が行われる。具体的には、カード面に顔写真が印刷され、カードに内蔵されているＩＣメモリにＢＭデータが記録される。このとき、管理装置３０において、監視画像データを分析することにより、顔写真撮影装置１０の利用中に撮影対象者が入れ替わっていないかを確認することができる。撮影対象者の入れ替わり等の不正が行われていた場合には、ＩＤカードの発行を中止することとする。
【００５０】
［第２の実施の形態］
次に、図３及び図４を参照して本発明を適用した第２の実施の形態について説明する。
図３に、第２の実施の形態における顔写真処理システム２のシステム構成を示す。
図３に示すように、顔写真処理システム２は、顔写真撮影装置４０と、管理装置３０とがネットワークＮを介して接続されて構成されている。図３では、顔写真撮影装置４０を１つ図示しているが、実際には、複数の顔写真撮影装置４０がネットワークＮを介して管理装置３０に接続されているものとする。
【００５１】
顔写真撮影装置４０は、第１の実施の形態に示した顔写真撮影装置１０からＢＭデータ取得装置１４を除いた構成であって、他の部分は顔写真撮影装置１０と同様の構成によってなるため、同一の構成部分については同一の符号を付し、その構成については説明を省略する。以下、第２の実施の形態に特徴的な構成について説明する。
【００５２】
制御部１１は、図示しないＣＰＵやＲＯＭ、ＲＡＭ等から構成され、顔写真撮影装置４０の各部を統括的に制御する。ＣＰＵは、入力装置１５から入力される各種指示に従って、ＲＯＭに記憶されている各種プログラムの中から指定されたプログラムをＲＡＭのワークエリアに展開し、上記プログラムとの協働によって各種処理を実行し、その処理結果をＲＡＭの所定の領域に格納する。
【００５３】
制御部１１は、記憶部１７に記憶されている顔画像データや監視画像データから顔の特徴となるデータを抽出して顔認証用特徴点データを取得する。
【００５４】
記憶部１７は、カメラ１２により撮影された顔画像データ及び監視画像データ、顔認証用特徴点データを関連付けて記憶する。
【００５５】
管理装置３０は、ＤＢ３１を備えて構成され、ネットワークＮを介して顔写真撮影装置４０を管理する。管理装置３０は、顔写真撮影装置４０から送信される顔画像データ、顔認証用特徴点データ、監視画像データ等を関連付けてＤＢ３１に格納させる。
【００５６】
ＤＢ３１は、顔写真撮影装置４０から送信された各データ（顔画像データ、顔認証用特徴点データ、監視画像データ等）を関連付けて記憶する。
【００５７】
次に、顔写真処理システム２の顔写真撮影装置４０における動作について説明する。
図４は、顔写真撮影装置４０において実行される登録申請処理２を説明するフローチャートである。
【００５８】
まず、顔写真撮影装置４０の撮影室内に撮影対象者が入ると、入室検知センサ１３により撮影対象者が検知され（ステップＳ３１）、表示装置１６に案内画面が表示される（ステップＳ３２）。同時に、スピーカー２０により音声案内が出力される。以下の動作においても同様に、各処理毎に、スピーカー２０から音声案内が出力されることとしてもよい。
【００５９】
撮影対象者がキャッシャー２１の入金口に料金を投入すると（ステップＳ３３）、入金された金額が判断される（ステップＳ３４）。次に、撮影対象者が撮影を希望する写真種を選択するための写真種選択ＳＷを押下すると（ステップＳ３５）、キャッシャー２１により、選択された写真種に応じて料金の精算が行われ、釣り銭が排出される（ステップＳ３６）。
【００６０】
次に、撮影対象者が撮影ＳＷを押下すると（ステップＳ３７）、監視用撮影が行われ、監視画像データが生成される（ステップＳ３８）。続いて、ストロボ１９が照射され、カメラ１２により顔写真の撮影が行われ、顔画像データが生成される（ステップＳ３９）。そして、再び監視用撮影が行われ、監視画像データが生成される（ステップＳ４０）。ここで、顔画像データのチェックが行われる（ステップＳ４１）。顔画像データが顔写真処理システム２において利用可能なデータではないと判断された場合には（ステップＳ４１；ＮＧ）、表示装置１６に再撮影の要求を示す画面が表示され、再び顔写真の撮影が行われる。
【００６１】
顔画像データが顔写真処理システム２において利用可能なデータであると判断された場合には（ステップＳ４１；ＯＫ）、撮影対象者がプリントＳＷを押下することにより（ステップＳ４２）、顔画像データと監視画像データが関連付けられて記憶部１７に保存される（ステップＳ４３）。そして、プリンタ１８により、顔写真が印刷用紙に印刷される（ステップＳ４４）。撮影対象者はプリント出力された写真を受け取る（ステップＳ４５）。
【００６２】
また、顔画像データが顔写真処理システム２において利用可能なデータであると判断された場合には（ステップＳ４１；ＯＫ）、顔画像データから顔認証用特徴点データ（以下、「顔特徴点データ」という。）が抽出される（ステップＳ４６）。ここで、顔特徴点データのチェックが行われる（ステップＳ４７）。顔特徴点データが顔写真処理システム２において利用可能なデータではないと判断された場合には（ステップＳ４７；ＮＧ）、表示装置１６に再撮影の要求を示す画面が表示され、再び撮影が行われる。
【００６３】
顔特徴点データが顔写真処理システム２において利用可能なデータであると判断された場合には（ステップＳ４７；ＯＫ）、顔特徴点データが、ステップＳ４３において保存された顔画像データと監視画像データとともに、関連付けられて記憶部１７に保存される（ステップＳ４８）。
【００６４】
また、ステップＳ３１において、入室検知センサ１３により、撮影対象者が顔写真撮影装置４０の撮影室内に入ったことが検知されてから、不定期に監視用撮影が行われ（ステップＳ４９）、生成された監視画像データが顔画像データ及び顔特徴点データと関連付けられて記憶部１７に保存される（ステップＳ５０）。図４においては、ステップＳ４９、ステップＳ５０を１回ずつ示してあるが、実際には、不定期に複数回行われるものとする。
【００６５】
なお、監視画像データについても、顔認証用特徴点データ（以下、「監視画像特徴点データ」という。）を抽出し、顔画像データや顔特徴点データと関連付けて記憶部１７に保存し、監視画像特徴点データを監視画像データとして扱うようにしてもよい。
【００６６】
次に、顔画像データ、顔特徴点データ、監視画像データが暗号化され（ステップＳ５１）、これらのデータが関連付けられた状態でネットワークＮを介して管理装置３０へ送信される（ステップＳ５２）。管理装置３０に送信されたデータは、ＤＢ３１に記憶される。
以上で、登録申請処理２が終了する。
【００６７】
したがって、顔写真処理システム２によれば、撮影対象者の顔写真撮影時の時間的に前後に、監視用撮影を行い、顔画像データ、顔特徴点データ及び監視画像データを関連付けて記憶するので、撮影対象者が不正に入れ替わって顔写真を撮影したとしても、監視画像データを照合することにより、本人の同一性を確認することができる。したがって、撮影対象者の入れ替わりを防止することができる。
【００６８】
また、入室検知センサ１３により人物が撮影室に入室したことを検知した場合に、不定期に監視用撮影を行うので、より確実に撮影対象者の入れ替わりを防止することができる。
【００６９】
また、顔写真撮影装置４０において、ＩＤカードの発行の申請が行われる場合には、管理装置３０において、監視画像データを分析することにより、顔写真撮影装置４０の利用中に撮影対象者が入れ替わっていないかを確認することができる。撮影対象者の入れ替わり等の不正が行われていた場合には、ＩＤカードの発行を中止することとする。
【００７０】
さらに、監視画像データから監視画像特徴点データを抽出し、監視画像特徴点データを顔画像データ及び顔特徴点データと関連付けて記憶する場合には、必要に応じて、顔特徴点データと監視画像特徴点データとを比較照合することにより、顔認証を行うことができる。
【００７１】
また、顔写真撮影装置４０の内部に顔認証機能を備えている場合には、顔特徴点データと監視画像特徴点データとを比較照合することにより、顔写真撮影装置４０の利用段階で不正の有無を判断することができ、顔写真撮影、データ保存、データ転送の各段階において、動作を中止することができる。
【００７２】
なお、上記各実施の形態における記述は、本発明に係る好適な顔写真処理システムの例であり、これに限定されるものではない。顔写真処理システムを構成する各部の細部構成及び細部動作に関しても本発明の趣旨を逸脱することのない範囲で適宜変更可能である。
【００７３】
上記各実施の形態では、カメラ１２が、撮影対象者の顔写真を撮影して顔画像データを生成する撮影手段と、撮影対象者の顔画像を含む撮影室内監視写真を撮影して監視画像データを生成する監視用撮影手段と、を兼ねることとしたが、それぞれ別のカメラやビデオカメラ等の撮影装置を用いることとしてもよい。しかし、上記各実施の形態のように、顔写真撮影用カメラのレンズに、ズーム機能又は焦点切り替え機能を持たせることにより、新たな監視装置を必要とせず、監視機能を低価格で実現させることが可能となる。
【００７４】
また、顔写真撮影装置１０（又は顔写真撮影装置４０）により取得された顔画像データ、ＢＭデータ（又は顔特徴点データ）、監視画像データ等の各データを、ネットワークＮを介して管理装置３０に送信するのではなく、記憶部１７がＭＯ（Magneto-Optical disk）等の着脱可能な記憶媒体として構成されていることとしてもよい。例えば、顔写真撮影装置１０（又は顔写真撮影装置４０）内の施錠可能なボックスにＭＯ等の着脱可能な記憶媒体が格納され、管理者がボックスから記憶媒体を取り出すことにより、記憶媒体に記憶されたデータを持ち運ぶことができる。各地に設置された顔写真撮影装置１０（又は顔写真撮影装置４０）から、データが保存されている記憶媒体を回収し、データを管理装置３０に登録することにより、上記各実施の形態と同様の効果が得られる。
【００７５】
また、上記各実施の形態では、データを暗号化して送信することにより、データを保護することとしたが、データに対してアクセスが行われた場合、又は、データが更新された場合にヘッダ等に履歴を残すようにして、データの漏洩及び改ざんを防止することとしてもよい。
【図面の簡単な説明】
【００７６】
【図１】本発明の第１の実施の形態における顔写真処理システム１のシステム構成を示すブロック図である。
【図２】顔写真撮影装置１０において実行される登録申請処理１を説明するフローチャートである。
【図３】本発明の第２の実施の形態における顔写真処理システム２のシステム構成を示すブロック図である。
【図４】顔写真撮影装置４０において実行される登録申請処理２を説明するフローチャートである。
【符号の説明】
【００７７】
１  顔写真処理システム
１０  顔写真撮影装置
１１  制御部
１２  カメラ
１３  検知センサ
１４  ＢＭデータ取得装置
１５  入力装置
１６  表示装置
１７  記憶部
１８  プリンタ
１９  ストロボ
２０  スピーカー
２１  キャッシャー
２２  通信装置
２３  Ｉ／Ｏユニット
３０  管理装置
３１  ＤＢ
Ｎ  ネットワーク
２  顔写真処理システム
４０  顔写真撮影装置
【図１】
2005196388.tif 000003
【図２】
2005196388.tif 000004
【図３】
2005196388.tif 000005
【図４】
2005196388.tif 000006